(57)【特許請求の範囲】
【請求項１】
シャッタのアパーチャを開いて露光を開始する先幕と、
シャッタのアパーチャを閉じて露光を終了する後幕と、
撮影光の方向を切換える可動ミラーと、
前記可動ミラーの下降開始時期と、前記先幕および前記後幕の走行開始時期を制御する制御手段とを具備し、
前記制御手段は、前記後幕がシャッタのアパーチャを閉じる前に、前記可動ミラーの下降開始を指示することを特徴とする一眼レフカメラ。
【請求項２】
請求項１において、
前記制御手段は、前記後幕がシャッタのアパーチャを閉じるよりも、前記可動ミラーが下降を開始するのに要する遅れ時間だけ前に、前記可動ミラーの下降開始を指示することを特徴とする一眼レフカメラ。
【請求項３】
請求項１において、
前記制御手段は、前記先幕の走行を開始した後であって、前記後幕がシャッタのアパーチャを閉じる前に、前記可動ミラーの下降開始を指示することを特徴とする一眼レフカメラ。
【請求項４】
請求項１において、
前記制御手段は、前記先幕の走行を開始する前に、前記可動ミラーの下降開始を指示することを特徴とする一眼レフカメラ。
【発明の詳細な説明】
【０００１】
【産業上の利用分野】
本発明は、フィルム給送速度を向上させた一眼レフカメラに関するものである。
【０００２】
【従来の技術】
従来は、特開昭５８−１１３６号公報で開示されているように、シャッタの作動が完了した後に（シャッタの後幕がアパーチャを閉じた後）に、モータを起動させて可動ミラーの下降を開始するようにしていた。
【０００３】
【発明が解決しようとする課題】
しかしながら、このような従来の一眼レフカメラでは、シャッタの作動が完了した後に、モータを起動させてミラーの下降を開始させるために、ミラー下降用モータの時定数や機械部品のクリアランスによって、ミラーが実際に下降動作を開始するのは、モータの起動が掛かってからある時間経過した後となる。したがって、従来の一眼レフカメラをＡＦ一眼レフカメラに適用すると、ミラー下降用モータが起動してから実際にミラーが下降動作を始めるまでに無駄な時間が生じ、測距開始時点を遅らせることになる。このことは、オートフォーカス撮影時のフィルム給送速度を速くしようとする時に特に障害となる。
【０００４】
本発明は、上記の問題点に鑑みてなされたもので、ミラーの下降動作に要する無駄な時間を排除し、オートフォーカス撮影時のフィルム給送速度を高速化することを目的としている。
【０００５】
【課題を解決するための手段】
上記目的を達成するために、本発明は、シャッタのアパーチャを開いて露光を開始する先幕と、シャッタのアパーチャを閉じて露光を終了する後幕と、撮影光の方向を切換える可動ミラーと、可動ミラーの下降開始時期と、先幕および後幕の走行開始時期を制御する制御手段とを具備し、制御手段は、後幕がシャッタのアパーチャを閉じる前に、可動ミラーの下降開始を指示するように構成されている。
【０００６】
【作用】
上記構成の一眼レフカメラにおいては、ミラー下降用モータが起動してから実際にミラーが下降動作を始めるまでの時間をシャッタの動作時間と重ね合せるようにしたので、撮影開始の信号を発生してから測距開始の信号を発生するまでの時間（ｔ６）を短縮でき、これによってＡＦ一眼レフカメラのフィルム給送速度を速くすることが可能となる。
【０００７】
【実施例】
以下、本発明の実施例を図面に基づいて説明する。
【０００８】
図１は、本発明による一眼レフカメラの一実施例を示す側面図であり、ＡＦ一眼レフカメラのミラー部を示している。図２は、本発明による一眼レフカメラの一実施例を示すブロック結線図である。
【０００９】
図１において、軸２１〜２３、軸２８〜３０、ストッパ１７、位置決めピン２４〜２６およびモータＭｔは、カメラ本体１（図２参照）に固定されている。係止レバー５０は軸２１の周りに回転可能であって、ばね１８によって時計方向に付勢され、位置決めピン２６によって図１に示す位置に位置決めされている。ミラーアップレバー５１は軸２２のまわりに回転可能であって、ばね１９によって時計方向に付勢されている。ミラーアップレバー５１は、腕５１ａがばね１９の付勢力に抗して、係止レバー５０の鈎部５０ａに係止されている。主ミラー５２はピン３２及び軸３１を有し、軸２３の周りに回転可能であって、ばね２０によって反時計方向に付勢され、位置決めピン２４によって図１に示す位置に位置決めされている。サブミラー５３はピン３３を有し、軸３１の周りに回転可能である。
【００１０】
サブミラー５３は、ピン３３に掛けたトグルばね３４によって反時計方向に付勢され、位置決めピン２５によって図１に示す位置に位置決めされている。歯車５４は、軸２８の周りに回転可能に取り付けられている。チャージカム５５はピン２７によって歯車５４と一体に取り付けられ、軸２８の周りに回転可能である。歯車５６および５７は、軸２９および３０のまわりにそれぞれ回転可能に取り付けられている。ピニオン５８は、モータＭｔの出力軸３５に取り付けられている。
【００１１】
次に、動作について説明する。
【００１２】
図２において、カメラ本体１に取り付けられたレリーズ釦２を押すと、半押しスイッチＳＷ１がＯＮする。これによって演算回路３が起動し、撮影モード設定手段４、測光手段５、およびフィルム感度検知手段６からの信号を演算回路３が取込み、この三者を演算して適性露光条件となるようにシャッタ秒時および絞り値を算出する。
【００１３】
演算回路３の演算結果は、表示手段７によって撮影者に表示される。さらにレリーズ釦２を押し込むと、レリーズスイッチＳＷ２がＯＮとなる。レリーズスイッチＳＷ２のＯＮ信号を受け取った演算回路３は、レリーズマグネットＭｇ１、先幕マグネットＭｇ２、および後幕マグネットＭｇ３に通電する。レリーズマグネットＭｇ１が通電されると、公知の方法によって、図１に示す係止レバー５０はばね１８の付勢力に抗して、反時計方向に回転させられる。これによって、腕５１ａと鈎部５０ａとの係合が解除され、ミラーアップレバー５１はばね１９の付勢力によって時計方向に回転する。引続いてミラーアップレバー５１の腕５１ｂが主ミラー５２の裏面５２ａに接触すると、ばね２０に抗して主ミラー５２も時計方向に回転する。ここでばね１９は、ばね２０より強い付勢力を有している。やがて主ミラー５２がストッパ１７に接触すると、ミラーアップ動作は完了する。この状態を図３に示す。ミラーアップ動作とほぼ並行して絞り（図示せず）は絞り込まれ、シャッタ幕（図示せず）は機械的係止から先幕マグネットＭｇ２および後幕マグネットＭｇ３への通電による電気的係止に切り替わる。
【００１４】
レリーズスイッチＳＷ２がＯＮ（Ｈｉｇｈ）してからｔ１時間（図４〜図６）が経過すると、演算回路３は先幕マグネットＭｇ２への通電をＯＦＦ（Ｌｏｗ）する。これによって先幕が走行し、露光を開始する。演算回路３は演算結果からシャッタ秒時がＴとなるように、先幕マグネットＭｇ２への通電をＯＦＦ（Ｌｏｗ）してからｔ２時間が経過すると後幕マグネットＭｇ３への通電をＯＦＦ（Ｌｏｗ）する。これによって後幕が走行し露光を終了する。後幕マグネットＭｇ３への通電をＯＦＦ（Ｌｏｗ）してから後幕が撮影画面を覆うまでの時間をｔ３とする。さらに後幕が撮影画面を覆ってから実際にミラーがダウンし始めるまでの余裕時間を△ｔ５とする。ｔ４はモータＭｔの時定数や機械部品のクリアランスによって、ミラー下降信号が出力されてから実際にミラーが下降動作を始めるまでの遅延時間である。演算回路３はｔ１＋ｔ２＋ｔ３＋△ｔ５−ｔ４＝ｔ５を計算し、レリーズスイッチＳＷ２がＯＮしてからｔ５時間が経過すると、ミラー下降信号を出力し、モータＭｔを起動する。モータＭｔの起動によって、チャージカム５５は反時計方向に回転する（図３）。これによって、ミラーアップレバー５１はばね１９の付勢力に抗して軸２２のまわりに反時計方向に回転する。この動きに追従して、主ミラー５２はばね２０の付勢力によって、軸２３のまわりに反時計方向に回転する。このようにして図１の状態に復帰する。
【００１５】
図７および図８は、演算回路３の動作を説明するフローチャート（第１実施例）である。ステップＳ１において、半押しＳＷ１がＯＮするとプログラムがスタートする。ステップＳ２ではタイマーをスタートさせる。ステップＳ３ではフィルム感度検知手段６からフィルム感度を読み込む。ステップＳ４では、撮影モード設定手段４から、プログラム自動撮影、マニュアル撮影、絞り優先自動撮影、またはシャッタスピード優先自動撮影の、いずれの撮影モードが設定されているかを読み込む。ステップＳ５では、測光手段５から送られてくる被写体の明るさを示すデータを読み込む。ステップＳ６では、ステップＳ３〜Ｓ５で読み込んだ値を用いて適性露光条件となるようにシャッタスピードと絞り値を演算する。
【００１６】
ステップＳ７は演算結果を表示手段７に表示する。ステップＳ８ではステップＳ２でスタートしたタイマーがあらかじめ設定された時間ｔ０に達しているか否かを判断する。ｔ０に達している場合は、ステップＳ９へ進む。ステップＳ９では、回路の電源をＯＦＦして待機状態となる。ｔ０に達していない場合には、ステップＳ１０へ進む。ステップＳ１０では、レリーズスイッチＳＷ２がＯＮしたか否かを判断する。レリーズスイッチＳＷ２がＯＮしていない場合には、ステップＳ３へ戻る。レリーズスイッチＳＷ２がＯＮしている場合には、ステップＳ１１へ進む。ステップＳ１１では記憶手段８に記憶されているｔ１、ｔ３、ｔ４、△ｔ５を読み込む。ステップ１２では、ｔ１＋ｔ２を演算する。ステップＳ１３ではｔ１＋ｔ２＋ｔ３＋△ｔ５−ｔ４を演算しｔ５とする。ステップＳ１５ではｔ１とｔ５とを比較し、ｔ１＞ｔ５でなければステップＳ２０（図８）へ進む。
【００１７】
ステップＳ２０ではレリーズスイッチＳＷ２がＯＮしてからｔ１時間経過後に先幕マグネットＭｇ２をＯＦＦし、ステップＳ２１へ進む。ステップＳ２１ではレリーズスイッチＳＷ２がＯＮしてからｔ５時間経過後にミラー下降信号を出力しモータＭｔを起動する。次のステップＳ２２では先幕マグネットＭｇ２をＯＦＦしてからｔ２時間経過後に後幕マグネットＭｇ３をＯＦＦし、ステップＳ１９へ進む。ステップＳ１９ではレリーズスイッチＳＷ２がＯＮしてからｔ６時間経過後に測距開始信号を出力する。測距手段９は測距開始信号を受け取ると測距をはじめる。ステップＳ１９以下、公知の方法でカメラは作動する。ステップＳ２０〜ステップＳ２２の処理が行われる場合の、レリーズスイッチＳＷ２、先幕マグネットＭｇ２、後幕マグネットＭｇ３、ミラー下降信号、および測距開始信号は、図４の波形図に示すようになる。
【００１８】
ステップＳ１５でｔ１＞ｔ５の場合には、ステップＳ２３へ進む。ステップＳ２３では、レリーズスイッチＳＷ２がＯＮしてからｔ５時間経過後にミラー下降信号を出力しモータＭｔを起動する。次のステップＳ２４ではレリーズスイッチＳＷ２がＯＮしてからｔ１時間経過後に先幕マグネットＭｇ２をＯＦＦし、ステップＳ２５へ進む。ステップＳ２５では先幕マグネットＭｇ２をＯＦＦしてからｔ２時間経過後に後幕マグネットＭｇ３をＯＦＦし、ステップＳ１９へ進む。ステップＳ１９ではレリーズスイッチＳＷ２がＯＮしてからｔ６時間経過後に測距開始信号を出力する。測距手段９は測距開始信号を受け取ると測距をはじめる。ステップＳ１９以下、公知の方法でカメラは作動する。ステップＳ２３〜ステップＳ２５の処理が行われる場合の、レリーズスイッチＳＷ２、先幕マグネットＭｇ２、後幕マグネットＭｇ３、ミラー下降信号、および測距開始信号は、図５の波形図に示すようになる。
【００１９】
図９および図１０は、演算回路３の動作を説明するフローチャート（第２実施例）である。ステップＳ１３までは、第１実施例と同様であり、説明を省略する。ステップＳ１４ではｔ１＋ｔ２とｔ５とを比較し、ｔ１＋ｔ２＞ｔ５でなければステップＳ１６（図１０）へ進む。
【００２０】
ステップＳ１６ではレリーズスイッチＳＷ２がＯＮしてからｔ１時間経過後に先幕マグネットＭｇ２をＯＦＦし、ステップＳ１７へ進む。ステップＳ１７では先幕マグネットＭｇ２をＯＦＦしてからｔ２時間経過後に後幕マグネットＭｇ３をＯＦＦし、ステップＳ１８へ進む。ステップＳ１８ではレリーズスイッチＳＷ２がＯＮしてからｔ５時間経過後にミラーダウン信号を出力しモータＭｔを起動する。次のステップに移って、ステップＳ１９ではレリーズスイッチＳＷ２がＯＮしてからｔ６時間経過後に測距開始信号を出力する。測距手段９は測距開始信号を受け取ると測距をはじめる。ステップＳ１９以下、公知の方法でカメラは作動する。ステップＳ１６〜ステップＳ１８の処理が行われる場合の、レリーズスイッチＳＷ２、先幕マグネットＭｇ２、後幕マグネットＭｇ３、ミラー下降信号、および測距開始信号は、図６の波形図に示すようになる。
【００２１】
ステップＳ１４でｔ１＋ｔ２＞ｔ５の場合には、ステップＳ２３へ進む。ステップＳ２３では、レリーズスイッチＳＷ２がＯＮしてからｔ５時間経過後にミラー下降信号を出力し、モータＭｔを起動する。次のステップＳ２４では、レリーズスイッチＳＷ２がＯＮしてからｔ１時間経過後に先幕マグネットＭｇ２をＯＦＦし、ステップＳ２５へ進む。ステップＳ２５では先幕マグネットＭｇ２をＯＦＦしてからｔ２時間経過後に後幕マグネットＭｇ３をＯＦＦし、ステップＳ１９へ進む。ステップＳ１９ではレリーズスイッチＳＷ２がＯＮしてからｔ６時間経過後に測距開始信号を出力する。測距手段９は測距開始信号を受け取ると測距をはじめる。ステップＳ１９以下、公知の方法でカメラは作動する。ステップＳ２３〜ステップＳ２５の処理が行われる場合の、レリーズスイッチＳＷ２、先幕マグネットＭｇ２、後幕マグネットＭｇ３、ミラー下降信号、および測距開始信号は、図５の波形図（第１実施例と共通）に示すようになる。
【００２２】
【発明の効果】
以上のように、本発明によれば、モータの時定数や機械部品のクリアランスによって、ミラー下降信号が出力されてから実際にミラーが下降動作をはじめるまでの遅延時間を、シャッタの動作時間と重ねあわせたので、その分だけ測距開始までに時間を短縮でき、この結果フィルム給送速度を速くすることが可能となる。
【図面の簡単な説明】
【図１】本発明による一眼レフカメラの一実施例を示す側面図である。
【図２】本発明による一眼レフカメラの一実施例を示すブロック結線図である。
【図３】本発明による一眼レフカメラの一実施例を示す側面図である。
【図４】本発明による一眼レフカメラの一実施例を示す波形図である。
【図５】本発明による一眼レフカメラの一実施例を示す波形図である。
【図６】本発明による一眼レフカメラの一実施例を示す波形図である。
【図７】本発明による一眼レフカメラの一実施例を示すフローチャートである。
【図８】本発明による一眼レフカメラの一実施例を示すフローチャートである。
【図９】本発明による一眼レフカメラの一実施例を示すフローチャートである。
【図１０】本発明による一眼レフカメラの一実施例を示すフローチャートである。
【符号の説明】
１    カメラ本体
２    レリーズ釦
３    演算回路
４    撮影モード設定手段
５    測光手段
６    フィルム感度検知手段
７    表示手段
８    記憶手段
９    測距手段
１７    ストッパ
２１    軸
２２    軸
２３    軸
２４    ピン
２５    ピン
２６    ピン
２７    ピン
２８    軸
２９    軸
３１    軸
３２    ピン
３３    ピン
３５    出力軸
５０    係止レバー
５０ａ  鈎部
５１    ミラーアップレバー
５１ａ  腕
５１ｂ  腕
５２    主ミラー
５２ａ  裏面
５３    サブミラー
５４    歯車
５５    チャージカム
５６    歯車
５８    ピニオン
ＳＷ１    半押しスイッチ
ＳＷ２    レリーズスイッチ
Ｍｇ１    レリーズマグネット
Ｍｇ２    先幕マグネット
Ｍｇ３    後幕マグネット
【図１】
0003600917.tif 000002
【図２】
0003600917.tif 000003
【図３】
0003600917.tif 000004
【図４】
0003600917.tif 000005
【図５】
0003600917.tif 000006
【図６】
0003600917.tif 000007
【図７】
0003600917.tif 000008
【図８】
0003600917.tif 000009
【図９】
0003600917.tif 000010
【図１０】
0003600917.tif 000011